(57)【特許請求の範囲】
【請求項１】
ランダムアクセスチャネル数を確定する方法であって、時分割デュプレックスシステムに応用され、前記方法は以下を含む：
ターミナルはシステム配置に基づいて、一つのアップリンクパイロットタイムスロットUpPTS内のランダムアクセスチャネル数に関連する配置パラメータを確定し、前記配置パラメータは一つの無線フレーム内ダウンリンクからアップリンクへの転換点の数ＮＳＰ、ランダムアクセス配置における物理ランダムアクセスチャネルPRACHの密度ＤＲＡ、前記UpPTSの所在するシステムフレームのシステムフレーム番号ｎｆ及びPRACH配置インデックスが対応するバージョンインデックスｒＲＡを含み；及び
前記ターミナルは前記配置パラメータに基づいて、ＤＲＡ>0.5の時、前記ターミナルは下記公式に基づいて前記UpPTS内のPRACHの数ＮＲＡを確定する：
【数１】
0005185444.tif 000050
その中、α＝ＤＲＡｍｏｄ２；β＝（ＮＳＰ−１）ｍｏｄ２；前記UpPTSが無線フレームの第一個のフィールドにある時
【数２】
0005185444.tif 000051
、無線フレームの第二個のフィールドにある時
【数３】
0005185444.tif 000052
、
【数４】
0005185444.tif 000053
は切り捨てを表示し、modはモジュロ演算であり、
という方式に従って前記UpPTS内PRACHの数ＮＲＡを直接計算して得る。
【請求項２】
請求項１に記載の方法であって、その中、ＤＲＡ＝0.5の時、前記ターミナルは下記公式に基づいて前記UpPTS内のPRACHの数ＮＲＡを確定する：
【数５】
0005185444.tif 000054
その中、前記UpPTSは無線フレームの第一個のフィールドにある時
【数６】
0005185444.tif 000055
、無線フレームの第二個のフィールドにある時
【数７】
0005185444.tif 000056
、
【数８】
0005185444.tif 000057
は切り捨てを表示し、modはモジュロ演算である。
【請求項３】
請求項１に記載の方法であって、ロングタームエボリューションLTEシステムの時分割デュプレックスシステムに応用される。
【請求項４】
時分割デュプレックスシステムアップリンクチャネルの測定参考信号の送信方法であって、以下を含む：
ターミナルはアップリンクチャネルの測定参考信号SRSに関連する配置情報に基づいてアップリンクパイロットタイムスロットUpPTS内でSRSを送信するリソースのパラメータを確定し、前記パラメータはSRSの帯域幅と前記SRS帯域幅が対応ツリー構造における層数bを含み、そして前記リソースで前記SRS信号を送信する；
その中、b=0、前記ターミナルはSRS帯域幅に対し再配置する時、一つの無線フレーム内ダウンリンクからアップリンクへの転換点の数、ランダムアクセス配置における物理ランダムアクセスチャネルPRACHの密度、前記UpPTS所在するシステムフレームのシステムフレーム番号及びPRACH配置インデックスが対応するバージョンインデックスに基づいて、ＤＲＡ＞0.5の時、前記ターミナルは下記公式に基づいて前記UpPTS内のPRACHの数ＮＲＡを確定する：
【数９】
0005185444.tif 000058
その中、α＝ＤＲＡｍｏｄ２；β＝（ＮＳＰ−１）ｍｏｄ２；前記UpPTSは無線フレームの第一個のフィールドにある時
【数１０】
0005185444.tif 000059
、無線フレームの第二個のフィールドにある時
【数１１】
0005185444.tif 000060
、ＮＳＰは一つの無線フレーム内ダウンリンクからアップリンクへの転換点の数であって、ＤＲＡはランダムアクセス配置の中のPRACHの密度であって、ｒＲＡはPRACH配置インデックスが対応するバージョンインデックスであって、
【数１２】
0005185444.tif 000061
は切り捨てを表示し、modはモジュロ演算であり、
という方式に従って前記UpPTS内のPRACHの数を直接計算して得る。
【請求項５】
請求項４に記載の方法であって、その中、ＤＲＡ＝0.5の時、前記ターミナルは下記公式に基づいて前記UpPTS内のPRACHの数ＮＲＡを確定する：
【数１３】
0005185444.tif 000062
その中、前記UpPTSは無線フレームの第一個のフィールドにある時
【数１４】
0005185444.tif 000063
、無線フレームの第二個のフィールドにある時
【数１５】
0005185444.tif 000064
、ｎｆは前記UpPTSが所在するシステムフレームのシステムフレーム番号であって、ｒＲＡはPRACH配置インデックスが対応するバージョンインデックスであって、
【数１６】
0005185444.tif 000065
は切り捨てを表示し、modはモジュロ演算である。
【請求項６】
請求項４又は請求項５に記載の方法であって、その中：
前記ターミナルはSRS帯域幅に対し再配置する時、SRS帯域幅をすべてのアップリンクシステム帯域幅範囲内のすべてのSRS帯域幅配置の集合における
【数１７】
0005185444.tif 000066
より小さいか等しいの最大SRS帯域幅に再配置し、その中、ＮＲＡは前記UpPTS内のPRACHの数であって、
【数１８】
0005185444.tif 000067
はアップリンクシステム帯域幅が周波数ドメインにおいて対応する物理リソースブロックの総数である。
【請求項７】
請求項４又は請求項５に記載の方法であって、その中：
前記ターミナルはSRS帯域幅を再配置する時、SRS帯域幅を目前のアップリンクシステム帯域幅が所在するアップリンクシステム帯域幅範囲内のすべてのSRS帯域幅配置の集合における
【数１９】
0005185444.tif 000068
より小さいか等しいの最大SRS帯域幅に再配置し、その中、ＮＲＡは前記UpPTS内のPRACHの数であって、
【数２０】
0005185444.tif 000069
はアップリンクシステム帯域幅が周波数ドメインにおいて対応する物理リソースブロックの総数である。
【請求項８】
請求項４に記載の方法であって、ロングタームエボリューションLTEシステムの時分割デュプレックスシステムに応用される。
【発明の詳細な説明】
【技術分野】
【０００１】
本発明は通信分野に係わり、具体的にランダムアクセスチャネル数の確定方法及び測定参考信号の送信方法に関するものである。
【背景技術】
【０００２】
図1はLTEシステムの時分割デュプレックス（Time Division Duplex、略称TDD）モードでのフレーム構造の図を示し、このフレーム構造は第二類フレーム構造(frame structure type 2)と呼ぶ。このようなフレーム構造における、一つの10ms(307200Ts、1ms=30720Ts)の無線フレームは二つのフィールドに分けられ、各フィールドの長さは5ms(153600Ts)で、そして各フィールドは五個の長さ1msのサブフレームを含み、各サブフレームの作用は表１のように示され、その中、Dはダウンリンク信号を伝送するためのダウンリンクサブフレームであって、Uはアップリンク信号を伝送するためのアップリンクサブフレーム（又は普通アップリンクサブフレームと呼ぶ）を表し、また、一つのアップリンク/ダウンリンクサブフレームはまた二つの0.5msのタイムスロットに分けられ、Sは特別サブフレームを示し、特別サブフレームは三つの特別タイムスロットを含み、即ちダウンリンクパイロットタイムスロット(Downlink Pilot Time Slot、DwPTSに略称)、ガード期間(Guard Period、略称GP)及びアップリンクパイロットタイムスロット(Uplink Pilot Time Slot、略称UpPTS)である、実際のシステムにおいて、アップ/ダウンリンク配置のインデックスはブロードキャストメッセージを通じてユーザ機器(User Equipment、略称UE)に通知する。
【０００３】
【表１】
0005185444.tif 000002
【０００４】
LTEシステム中の資源配分は物理リソースブロック(Physical Resource Block、PRB、又は略称Resource Block、RB、リソースブロック)を単位にして、一つのPRBは周波数ドメインにおいて12個のサブ搬送波(subcarrier、又はResource Elementと呼ぶ、略称RE、各サブ搬送波は15ｋHｚ)を占めて、タイムドメインにおいて一つのタイムスロットを占めて、即ちタイムドメインにおいて七つのノーマル循環プレフィックス(Normal cyclic prefix、略称Normal CP)又は六つの拡張循環プレフィックス(Extended cyclic prefix、Extended CP) のSC-FDMA符号を占める。アップリンクシステム帯域幅が周波数ドメインにおいて対応するRBの合計数は
【０００５】
【数１】
0005185444.tif 000003
【０００６】
の場合、RＢのインデックスは
【０００７】
【数２】
0005185444.tif 000004
【０００８】
REのインデックスは
【０００９】
【数３】
0005185444.tif 000005
【００１０】
その中、
【００１１】
【数４】
0005185444.tif 000006
【００１２】
は一つのRBが周波数ドメインにおいて対応するサブ搬送波の数である。ノーマル循環プレフィックスを例として、PRBの構造は図2のように示す。
【００１３】
物理ランダムアクセスチャネル(Physical Random Access Channel、略称PRACH)はランダムアクセスオポチュニティ(Random Access Opportunity)又はランダムアクセスリソース(Random Access Resource)とも呼ばれ、一つのランダムアクセスチャネルは一つのランダムアクセスプリアンブル(Random Access Preamble)に対応し、ランダムアクセスプリアンブルは循環プレフィックス(Cyclic Prefix、略称CP)とシーケンス（Sequence）という二部分からなり、図3はランダムアクセスプリアンブルの構造を示す。違うランダムアクセスプリアンブルフォーマット(Preamble Format)は違うCPと/又はSequenceの長さを意味する。今LTEシステムの中でTDDモードがサポートするプリアンブルフォーマットの種類は表2のように示す。
【００１４】
【表２】
0005185444.tif 000007
【００１５】
表2に示すランダムアクセスプリアンブルフォーマットにおいて、プリアンブルフォーマ0〜3は普通アップリンクサブフレームの中で伝送され、プリアンブルフォーマット4はUpPTSの中で伝送される。周波数ドメインで、一つのランダムアクセスプリアンブルは六つのPRBが対応する帯域幅を占め、即ち72個のREである。タイムドメインのロケーションが同じのPRACHチャネルは周波数ドメインを通じて区分される。
【００１６】
LTEシステムTDDモードで、ランダムアクセス配置は表3のように示す。その中、ＤＲＡはランダムアクセスチャネルの密度であって、ＤＲＡ>0.5の時、10ms無線フレーム内のPRACHチャネルの数を表示し；ＤＲＡ=0.5の時、20msを表示し、即ち二つの無線フレーム内で一つのPRACHがある；ｒＲＡはある種類のPRACH配置インデックスが対応するバージョン番号である。基地局はPRACH配置インデックス番号をターミナルに通知し、ターミナルは直ちに当該インデックス番号が対応するパラメータを取得できる。
【００１７】
【表３】
0005185444.tif 000008
【００１８】
測定参考信号(SRS、Sounding Reference Signal)はアップリンクのチャネル品質を測定する。同じのSRS周波数帯内SRS信号のサブ搬送波は間隔的に置かれる。図4に示されたように、このような櫛状構造はもっと多いのユーザーが同じのSRS帯域幅の中でSRS信号を送信することを許す。SRS信号の帯域幅はツリー構造で配置する、即ち毎一種のSRS帯域幅配置（SRS bandwidth configuration）は一つのツリー構造を対応し、その中、最上層のSRS帯域幅(SRS-Bandwidth)はこのSRS帯域幅配置の最大帯域幅に対応し、表4〜表7は別々に違うアップリンクシステムの帯域幅範囲内のSRS帯域幅配置を示す。
【００１９】
表4でのSRS帯域幅配置1を例として、ｂ＝0は第一層で、ツリー構造の最上層であって、当該層のSRS帯域幅は32個のPRBが対応する帯域幅、当該SRS帯域幅配置の最大SRS帯域幅であって；ｂ＝1は第二層で、当該層のSRS帯域幅は16個のPRBが対応する帯域幅であって、そして上の層の一つのSRS帯域幅は二つの第二層のSRS帯域幅(Nb=2)に分解されて；b=2は第三層で、当該層のSRS帯域幅は八つのPRBが対応する帯域幅で、且つ上の層の一つのSRS帯域幅は二つの第三層のSRS帯域幅に分解されて；ｂ＝3は第四層で、この層のSRS帯域幅は四つのPRBが対応する帯域幅で、且つ上層の一つのSRS帯域幅は二つの第四層のSRS帯域幅に分解される。
【００２０】
【表４】
0005185444.tif 000009
【００２１】
【表５】
0005185444.tif 000010
【００２２】
【表６】
0005185444.tif 000011
【００２３】
【表７】
0005185444.tif 000012
【００２４】
SRSはUpPTS内で伝送できて、このとき、SRS周波数帯域の範囲の一個目の搬送波は下記の公式で決められる。
【００２５】
【数５】
0005185444.tif 000013
【００２６】
その中、
【００２７】
【数６】
0005185444.tif 000014
【００２８】
はアップリンクシステム帯域幅が対応するRB数であって、ｍＳＲＳ，０はSRSの周波数帯域範囲（最大SRS帯域幅）であって、
【００２９】
【数７】
0005185444.tif 000015
【００３０】
は一つのRBのサブ搬送波数であり、ｋＴＣは櫛状構造の起点であって、且つ
【００３１】
【数８】
0005185444.tif 000016
【００３２】
、ｎｆはUpPTSがある無線フレームのシステムフレーム番号(SFN、System Frame Number)であって、ＮＳＰは一つの無線フレーム内ダウンリンクからアップリンクへの転換点の数であり、
【００３３】
【数９】
0005185444.tif 000017
【００３４】
と1は別々に第一個フィールドと第二個のフィールドを代表し、即ちUpPTSは無線フレームで第一個のフィールドにあるとき
【００３５】
【数１０】
0005185444.tif 000018
【００３６】
、UpPTSは無線フレームの第二個のフィールドにあるとき
【００３７】
【数１１】
0005185444.tif 000019
【００３８】
。
【００３９】
そのほか、SRS帯域幅がｂ＝0を選ぶとき、SRS帯域幅は再配置することできて、即ち：
【００４０】
【数１２】
0005185444.tif 000020
【００４１】
その中、cはSRS帯域幅配置であり、Cは表4〜表７の帯域幅配置の集合であって、ＮＲＡはSRS信号があるUpPTS内に含むPRACHチャネルの数である。即ちb＝0のとき、SRS帯域幅はイコールすべてのアップリンクシステム帯域幅範囲内のすべてのSRS帯域幅配置（表4〜表7を含む）の集合の中で
【００４２】
【数１３】
0005185444.tif 000021
【００４３】
より小さいか等しいの最大SRS帯域幅である。もう一つの状況で、SRS帯域幅は当面のアップリンクシステムがあるアップリンクシステム帯域幅範囲内のすべてのSRS帯域幅配置（一つの表しか含まない）の集合の中で
【００４４】
【数１４】
0005185444.tif 000022
【００４５】
より小さいか等しいの最大SRS帯域幅に再配置できる。
【００４６】
SRS帯域幅が再配置する時、UpPTS内のPRACHチャネル数の承知が必要である。通常の方法はすべてのPRACHのチャネル配置状況とすべてのアップリンクとダウンリンク割合配置を組み合わせて、各状況でのUpPTS内のチャネルの数を遍歴し、その結果を一つのリストにして保存する。この方法は基地局とターミナル両方共にこのようなリストを保存することが必要し、オーバーヘッドは多いである。
【発明の概要】
【発明が解決しようとする課題】
【００４７】
本発明が解決しようとする問題はランダムアクセスチャネル数を確定する方法を提出し、便利的にUpPTS内PRACHチャネルの数を計算できて、システムのメモリ消費を減らすことである。
【課題を解決するための手段】
【００４８】
前記の技術問題を解決するため、本発明はランダムアクセスチャネル数を確定する方法を提供し、以下を含む：
ターミナルはシステム配置に基づいて、一つのアップリンクパイロットタイムスロットUpPTS内のランダムアクセスチャネル数に関連する配置パラメータを確定し、前記配置パラメータは一つの無線フレーム内ダウンリンクからアップリンクへの転換点の数ＮＳＰ、ランダムアクセス配置における物理ランダムアクセスチャネルPRACHの密度ＤＲＡ、前記UpPTSの所在するシステムフレームのシステムフレーム番号ｎｆ及びPRACH配置インデックスが対応するバージョンインデックスｒＲＡを含み；及び
前記ターミナルは前記配置パラメータに基づいて前記UpPTS内PRACHの数ＮＲＡを直接計算して得る。
【００４９】
さらに、上記方法は以下の特徴を持っている：ＤＲＡ>0.5の時、前記ターミナルは下記公式に基づいて前記UpPTS内のPRACHの数ＮＲＡを確定する：
【００５０】
【数１５】
0005185444.tif 000023
【００５１】
その中、α＝ＤＲＡｍｏｄ２；β＝（ＮＳＰ−１）ｍｏｄ２；前記UpPTSが無線フレームの第一個のフィールドにある時
【００５２】
【数１６】
0005185444.tif 000024
【００５３】
、無線フレームの第二個のフィールドにある時
【００５４】
【数１７】
0005185444.tif 000025
【００５５】
、
【００５６】
【数１８】
0005185444.tif 000026
【００５７】
は切り捨てを表示し、modはモジュロ演算である。
【００５８】
さらに、上記方法は以下の特徴を持っている：ＤＲＡ＝0.5の時、前記ターミナルは下記公式に基づいて前記UpPTS内のPRACHの数ＮＲＡを確定する：
【００５９】
【数１９】
0005185444.tif 000027
【００６０】
その中、前記UpPTSは無線フレームの第一個のフィールドにある時
【００６１】
【数２０】
0005185444.tif 000028
【００６２】
、無線フレームの第二個のフィールドにある時
【００６３】
【数２１】
0005185444.tif 000029
【００６４】
、
【００６５】
【数２２】
0005185444.tif 000030
【００６６】
は切り捨てを表示し、modはモジュロ演算である。
【００６７】
さらに、上記方法は以下の特徴を持っている：ロングタームエボリューションLTEシステムの時分割デュプレックスシステムに応用される。
【００６８】
前記方法を採用するとランダムアクセスチャネル数を確定する必要なメモリ消費を減らせて、更に設備のコストを減らせる。
【００６９】
本発明が解決するもう一つの問題は時分割デュプレックスシステムのアップリンクチャネルの測定参考信号SRS信号の送信方法を提供し、SRS信号送信に必要のシステムリソースをへらすことができる。
【００７０】
上記技術問題を解決するため、本発明は時分割デュプレックスシステムのアップリンクチャネルの測定参考信号SRS信号の送信方法を提供し以下を含む：
ターミナルはアップリンクチャネルの測定参考信号SRSに関連する配置情報に基づいてアップリンクパイロットタイムスロットUpPTS内でSRSを送信するためのリソースのパラメータを確定し、前記パラメータはSRSの帯域幅と前記SRS帯域幅が対応ツリー構造における層数bを含み、そして前記リソースで前記SRS信号を送信する；
その中、b=0、前記ターミナルはSRS帯域幅に対し再配置する時、一つの無線フレーム内ダウンリンクからアップリンクへの転換点の数、ランダムアクセス配置における物理ランダムアクセスチャネルPRACHの密度、前記UpPTS所在するシステムフレームのシステムフレーム番号及びPRACH配置インデックスが対応するバージョンインデックスに基づいて前記UpPTS内のPRACHの数を直接計算して得る。
【００７１】
さらに、上記方法は以下の特徴を持っている：ＤＲＡ＞0.5の時、前記ターミナルは下記公式に基づいて前記UpPTS内のPRACHの数ＮＲＡを確定する：
【００７２】
【数２３】
0005185444.tif 000031
【００７３】
その中、α＝ＤＲＡｍｏｄ２；β＝（ＮＳＰ−１）ｍｏｄ２；前記UpPTSは無線フレームの第一個のフィールドにある時
【００７４】
【数２４】
0005185444.tif 000032
【００７５】
、無線フレームの第二個のフィールドにある時
【００７６】
【数２５】
0005185444.tif 000033
【００７７】
、ＮＳＰは一つの無線フレーム内ダウンリンクからアップリンクへの転換点の数であって、ＤＲＡはランダムアクセス配置の中のPRACHの密度であって、ｒＲＡはPRACH配置インデックスが対応するバージョンインデックスであって、
【００７８】
【数２６】
0005185444.tif 000034
【００７９】
は切り捨てを表示し、modはモジュロ演算である。
【００８０】
さらに、上記方法は以下の特徴を持っている：ＤＲＡ＝0.5の時、前記ターミナルは下記公式に基づいて前記UpPTS内のPRACHの数ＮＲＡを確定する：
【００８１】
【数２７】
0005185444.tif 000035
【００８２】
その中、前記UpPTSは無線フレームの第一個のフィールドにある時
【００８３】
【数２８】
0005185444.tif 000036
【００８４】
、無線フレームの第二個のフィールドにある時
【００８５】
【数２９】
0005185444.tif 000037
【００８６】
、ｎｆは前記UpPTSが所在するシステムフレームのシステムフレーム番号であって、ｒＲＡはPRACH配置インデックスが対応するバージョンインデックスであって、
【００８７】
【数３０】
0005185444.tif 000038
【００８８】
は切り捨てを表示し、modはモジュロ演算である。
【００８９】
さらに、上記方法は以下の特徴を持っている：
前記ターミナルはSRS帯域幅に対し再配置する時、SRS帯域幅をすべてのアップリンクシステム帯域幅範囲内のすべてのSRS帯域幅配置の集合における
【００９０】
【数３１】
0005185444.tif 000039
【００９１】
より小さいか等しいの最大SRS帯域幅に再配置し、その中、ＮＲＡは前記UpPTS内のPRACHの数であって、
【００９２】
【数３２】
0005185444.tif 000040
【００９３】
はアップリンクシステム帯域幅が周波数ドメインにおいて対応する物理リソースブロックの総数である。
【００９４】
さらに、上記方法は以下の特徴を持っている：
前記ターミナルはSRS帯域幅を再配置する時、SRS帯域幅を目前のアップリンクシステム帯域幅が所在するアップリンクシステム帯域幅範囲内のすべてのSRS帯域幅配置の集合における
【００９５】
【数３３】
0005185444.tif 000041
【００９６】
より小さいか等しいの最大SRS帯域幅に再配置し、その中、ＮＲＡは前記UpPTS内のPRACHの数であって、
【００９７】
【数３４】
0005185444.tif 000042
【００９８】
はアップリンクシステム帯域幅が周波数ドメインにおいて対応する物理リソースブロックの総数である。
【００９９】
更に、前記方法は以下の特徴がある：当該方法はロングタームエボリューションLTEシステムの時分割デュプレックスシステムに応用する。
【発明の効果】
【０１００】
前記方法を採用するとSRS信号の送信プロセス中でSRS帯域幅を再配置する時、正確的にSRSが所在のUpPTS内PRACHチャネルの数を計算し、且つ少ないシステムリソースを占用する。
【図面の簡単な説明】
【０１０１】
【図１】LTEシステムTDDモードのフレーム構造の図である。
【図２】図1システム中の物理リソースブロックの構造図である。
【図３】ランダムアクセスプリアンブルの図である。
【図４】SRS櫛状構造の図である。
【図５】本発明実施例方法のフローチャートである。
【発明を実施するための形態】
【０１０２】
ここが説明する図面は本発明へもう一層の理解を提供し、本請求の一部分になり、本発明の実施形態及びその説明は本発明を解釈に利用されるが、本発明への限定にならない。
【０１０３】
以下はLTEのTDDモードを例として、本発明の技術考案を詳しく説明する。
【０１０４】
ターミナル（LTEシステムでユーザー機器（UE）と呼ぶ）はSRS信号を送信しようとするとき、SRS関連する配置情報に基づいてUpPTS内でSRSを送信するリソースのパラメータを計算し、それで当該リソースにおいて前記SRS信号を送信する。
【０１０５】
前記SRS関連する配置情報は以下を含む：セル内でブロードキャストのSRSの帯域幅にパラメータを配置し、表4〜表7中のSRS帯域幅にインデックス番号を配置し、ターミナルはアップリンクシステムの帯域幅及び当該パラメータに基づいて、SRS帯域幅のツリー構造及び当該ツリー構造が対応する各フォークでのｍＳＲＳ，ｂとＮｂを確定でき；及び基地局はアップリンクチャネル測定のためにターミナルからSRS信号を受信することが必要になる時、SRS信号のためにUpPTS内でリソースを割り当て、当該ターミナルに当該リソースの配置情報を送信し、例えば配置する当該SRS帯域幅が対応するツリー構造での層数ｂ。ターミナルはSRS関連する配置情報を受信する後、計算できるSRS信号を送信するためのリソースのパラメータにはタイムドメイン、周波数ドメイン及び使用シーケンスに関連するパラメータである。
【０１０６】
本実施例が注目するのはb＝0の時、且つSRS帯域幅をすべてのアップリンクシステム帯域幅の範囲内のすべてのSRS帯域幅配置（表4〜表7を含む）の集合中
【０１０７】
【数３５】
0005185444.tif 000043
【０１０８】
より小さいか等しいの最大SRS帯域幅に再配置する必要の状況で、如何にその中のＮＲＡを確定することである。
【０１０９】
図5のように示す、本実施例がランダムアクセスチャネル数を確定する方法は以下を含む：
ステップ110、ターミナルはシステム配置に基づいて、一つのアップリンクパイロットスロットUpPTS内のランダムアクセスチャネル数と関連する配置パラメータを確定し、一つの無線フレーム内ダウンリンクからアップリンクへの転換点の数ＮＳＰ、物理ランダムアクセスチャネルPRACHの密度ＤＲＡ、前記UpPTSがあるシステムフレームのシステムフレーム番号ｎｆ及びPRACH配置インデックスが対応するバージョンインデックスｒＲＡを含む；
ステップ120、ターミナルは下記公式に基づいて前記UpPTS内のPRACHの数を直接に確定する：
【０１１０】
【数３６】
0005185444.tif 000044
【０１１１】
その中、α＝ＤＲＡｍｏｄ２；β＝（ＮＳＰ−１）ｍｏｄ２；ＮＳＰは一つの無線フレーム内ダウンリンクからアップリンクへの転換点の数（アップリンクとダウンリンクの割合配置に基づいて取得できる）；ＤＲＡはランダムアクセス配置中のPRACHチャネルの密度であって、ＤＲＡは1より大きいか等しいとき、10ms無線フレーム内のPRACHチャネル数を代表し、ＤＲＡ＝0.5の時、20msを代表し、即ち二つの無線フレームにおいて一つのPRACHチャネルがある； ｒＲＡはPRACH配置インデックスが対応するバージョン番号で、即ちバージョンインデックスである；UpPTSが無線フレームの第一個のフィールド中のUpPTSであるとき
【０１１２】
【数３７】
0005185444.tif 000045
【０１１３】
、UpPTSが無線フレームの第二個のフィールドのUpPTSであるとき
【０１１４】
【数３８】
0005185444.tif 000046
【０１１５】
。ｎｆはUpPTSがあるシステムフレームのシステムフレーム番号（SFN,System Frame Number）、
【０１１６】
【数３９】
0005185444.tif 000047
【０１１７】
は切り捨てを表示し、modはモジュロ演算である。
【０１１８】
ＤＲＡ＝0.5の時、ターミナルは下記公式に基づいて前記UpPTS内のPRACH数を確定し、得た結果も同じであって：
【０１１９】
【数４０】
0005185444.tif 000048
【０１２０】
本実施例において、ＤＲＡとｒＲＡはターミナルがシステムに基づいてそれに配置するPRACH配置インデックス番号でランダムアクセス配置表を探し得られて、ＮＳＰはターミナルがシステムのアップリンクとダウンリンクの割合配置のインデックスでアップリンクとダウンリンクの割合配置表を探し得られる。しかし本発明に対してこれらパラメータの取得方式を限定する必要がなく、例えプロトコル中で単独で一つのリストを提供して、アップ・ダウンリンクの割合配置インデックスとＮＳＰとの対応関係を確立することも可能である。
【０１２１】
すべてのPRACHチャネル配置状況とすべてのアップ・ダウンリンクの割合配置とを組み合わせて、各状況でのUpPTS内のチャネルの数を遍歴し、得た結果と前式計算して得た結果と比較し、前式の正確性を検証できる。当該方法はターミナルで上記各組合の結果を保存する必要がなく、相応のメモリリソースを占用しない。
【０１２２】
b＝0、且つSRS帯域幅を当面アップリンクシステム帯域幅があるアップリンクシステム帯域幅範囲内のすべてのSRS帯域幅配置（一つの表の中のすべてのSRS帯域幅配置を含む）の集合中
【０１２３】
【数４１】
0005185444.tif 000049
【０１２４】
より小さいか等しいの最大SRS帯域幅に再配置する必要がある時、前式でその中のＮＲＡを確定することもできる。これも多くのメモリ消費を節約できる。
以下で二つの応用する例で説明する：
【０１２５】
〔例1〕
仮に配置するPRACH配置インデックスは48であり、アップ・ダウンリンクの割合配置は0。表1に示したように、ＮＳＰ＝2。表3に示したように、ＤＲＡ＝0.5、ｒＲＡ＝0。本発明に基づいてわかるように、システムフレーム番号は偶数の無線フレームでの第一個のフィールド内のUpPTSにおいて一つのPRACHがあって、即ちＮＲＡ＝1。ほかのUpPTSにおいて皆PRACHがなく、即ちＮＲＡ＝0；
【０１２６】
〔例2〕
仮に配置するPRACH配置インデックスは56であり、アップ・ダウンリンクの割合配置は0。表1に示したように、ＮＳＰ＝2。表3に示したのように、ＤＲＡ＝5、ｒＲＡ＝0。本発明に基づいてわかるように、各無線フレームでの第一個のフィールド中でのUpPTSにおいて三つのPRACHがあって、即ちＮＲＡ＝3。各無線フレームでの第二個のフィールド中でのUpPTSにおいて二つのPRACHがあって、即ちＮＲＡ＝2；
以上述べたのは本発明の実施例だけで、本発明の制限に利用されることではなく、本領域での技術者にとって、本発明は各種の改善と変化をすることができる。本発明の精神と原則の中で、すべての改正、取替え、改善などは本発明の請求の範囲に含むべきである。
【産業上の利用可能性】
【０１２７】
本発明のランダムアクセスチャネル数を確定する方法を採用すると、ランダムアクセスチャネル数を確定するためのメモリ消費を減らせて、更に設備のコストを減らせる。
【図１】
0005185444.tif 000070
【図２】
0005185444.tif 000071
【図３】
0005185444.tif 000072
【図４】
0005185444.tif 000073
【図５】
0005185444.tif 000074